(57)【特許請求の範囲】
【請求項１】
モータと、該モータの回転力を伝達してドリル刃を回転させる伝達駆動部と、
前記ドリル刃によって穿孔される被削材から生じる粉塵を集塵する集塵装置を有する穿孔工具において、
前記モータにファンを設け、
前記集塵装置に、前記ドリル刃によって貫通される貫通部と、前記発生する粉塵とその周囲の空気を吸引するための集塵口と、前記貫通されたドリル刃付近に空気を吹き付けるための吹出口と、前記集塵口から集塵フィルタを介して前記ファンに至る通路及び前記ファンから前記吹出口に至る通路を有する伸縮ダクトと、前記伸縮ダクトの先端部に前記貫通部を形成する集塵アダプタと、を設け、
前記集塵装置は前記ファンの回転力によって前記集塵口からの吸引と、前記吹出口への吹き付け用の空気流の供給を行い、
前記ファンによって吸引される前記集塵口からの空気の一部が、前記吹出口に還元され、残りの空気は外部に排出され、
前記吹出口から吹き付けられる空気流の方向は、前記集塵装置の貫通部において、ドリル刃の軸方向にほぼ平行な方向であることを特徴とする穿孔工具。
【請求項２】
前記集塵装置の前記集塵口から吸引される空気の量は、前記吹出口から吹き付けられる空気の量以上であることを特徴とする請求項１記載の穿孔工具。
【請求項３】
前記伸縮ダクトは、固定部分と伸縮部分により形成され、前記ドリル刃の長手方向とほぼ平行に取り付けられ、長手方向に伸縮可能であることを特徴とする請求項１記載の穿孔工具。
【請求項４】
前記集塵装置は、前記伸縮ダクトに接続されるハウジングを有し、該ハウジング内にフィルタが着脱可能に取り付けられることを特徴とする請求項３記載の穿孔工具。
【請求項５】
前記集塵装置は前記穿孔工具に対して着脱自在であることを特徴とする請求項４記載の穿孔工具。
【請求項６】
前記貫通部は円筒形であり、該貫通部の一端側に、前記ドリル刃と前記貫通部の間の空気の通過を制限するシャッター部材を設けたことを特徴とする請求項５記載の穿孔工具。
【請求項７】
前記集塵口と前記吹出口は、前記集塵装置において前記ドリル刃が前記集塵口と前記吹出口との間にある位置に設けられることを特徴とする請求項１記載の穿孔工具。
【請求項８】
前記集塵アダプタは、前記吹出口につながる通路と前記集塵口からつながる通路が、前記ドリル刃の長手軸から見て左右方向に並べて配置されることを特徴とする請求項１記載の穿孔工具。
【発明の詳細な説明】
【技術分野】
【０００１】
本発明は、穿孔穴を開けるための電動モータやエンジン等で駆動される穿孔工具に関し、特に、穿孔時に発生する粉塵を効率よく集塵することのできる集塵装置付き穿孔工具に関する。
【背景技術】
【０００２】
コンクリートやレンガといった石材に対し穿孔穴を開けるために穿孔工具が用いられる。穿孔工具はドリル刃を駆動することにより被削材に穿孔穴を開けるものであり、一般的な回転ドリルや、ドリル刃を回転打撃させるハンマドリルや、振動ドリルなどがある。穿孔工具を使用して穿孔作業を行う際には粉塵が発生するため、作業者は防塵マスクや保護眼鏡等を装着して作業をすることがある。近年、作業の際に発生する粉塵を取り除くために、粉塵を吸い取る集塵装置を配設したものが広く用いられるようになってきた。
【０００３】
例えば、特開２００４−２７６１９４号公報では、振動ドリル本体に蛇腹部材と塵埃ボックスによってドリルの刃全体を覆う形にし、塵埃ボックスから集塵管によって、別装置である吸引集塵機に接続する。この方法では、蛇腹部材と塵埃ボックスによって、ドリル刃の全体が覆われるため、高い集塵効果が期待できるものの、蛇腹部材と塵埃ボックスが大がかりになるばかりか、別装置である吸引集塵機が必要となり、携帯性に欠ける。
【０００４】
一方、より小型化された集塵装置付きの穿孔工具として、特開２００６−８８２８５号公報に記載された技術がある。これは、ドリル刃の後端から軸心にそって流体貫通路を形成し、流体貫通路は先端の逃がし溝部でドリルの外に連通する流体排出口を形成し、外部に設けられるコンプレッサによって、流体貫通路及び流体排出口を介して、圧縮空気をドリルの刃の先端付近に送る。ドリルの刃の先端付近には、集塵カップが設けられ、パイプを介して穿孔工具のモータによって回転する吸引ファンにより粉塵が吸引される。この装置においても、コンプレッサという外部装置が必要であり携帯性に欠ける。また、ドリル刃の軸心部に流体貫通路が形成された特殊な構成であるため、コスト的にも上昇する。
【特許文献１】特開２００４−２７６１９４号公報
【特許文献２】特開２００６−８８２８５号公報
【発明の開示】
【発明が解決しようとする課題】
【０００５】
上述した携帯性の問題を解決するために、特開２００６−８８２８５号公報に記載された技術から、流体貫通路をなくし、外部のコンプレッサの接続を省略すること、あるいは、コンプレッサを稼働させない状態で使用して、携帯性を良くすることも考えられる。その場合、穿孔作業時に生じる粉塵はドリル刃の螺旋構造により、集塵アダプタ内部へ移動し、集塵ファンの吸引力によって、集塵通路へ導かれ、集塵ケース内のフィルタにて空気と粉塵に分離され、粉塵は集塵ケース内へ貯蔵される。穿孔作業時において、工具本体は被削材の方向へ移動し、その移動に伴って、スライドパイプと集塵ユニットの集塵ユニットスライド部が移動することで、集塵アダプタは被削材と常に接することが可能となる。
【０００６】
しかし、粉塵が十分に吸引できずに、集塵アダプタ及びドリル刃の接触部付近から、粉塵がもれることがあり、作業者が手間をとる場合があった。
【０００７】
また、穿孔作業時に生じる粉塵は、ドリル刃の螺旋構造により集塵アダプタ内部へ移動し、集塵ファンの吸引力によって集塵されるが、穿孔作業終了後には、穿孔穴内部に粉塵の一部が残留し、穿孔穴にアンカ等を打ち込む際には、残留した粉塵を除去する必要が生じ、この粉塵を除去する作業時に粉塵が舞ってしまうことがあった。特に、ドリル刃を横方向にしての穿孔作業のみならず、下方向に向けての穿孔作業においては、重力の影響により穿孔穴の内部や周囲に粉塵が残留しやすく、残留した粉塵を除去する作業に手間をとる場合があった。
【０００８】
本発明の目的は集塵効率を高めるとともに、作業効率を向上させ小型化した集塵装置を有する穿孔工具を提供することにある。
【課題を解決するための手段】
【０００９】
上記目的は、モータと、モータの回転力を伝達してドリル刃（先端工具）を回転させる伝達駆動部と、ドリル刃によって穿孔される被削材から生じる粉塵を集塵する集塵装置を有する穿孔工具において、以下の様に構成することにより達成できる。
【００１０】
集塵装置に、前記ドリル刃によって貫通される貫通部と、ドリル刃先端付近から発生する粉塵とその周囲の空気を吸引するための集塵口と、前記貫通されたドリル刃付近に空気を吹き付けるための吹出口を設ける。そして、この集塵口から吸引される空気の量は、吹出口から吹き付けられる空気の量よりも多くする。その比率は、穿孔される被削材の材質、ドリル刃の直径、回転速度など、種々の要因により最適値を決めればよい。
【００１１】
穿孔工具のモータには、集塵用のファンを新たに設けるか、あるいは、既存の冷却ファンにその機能を兼用させる。このファンの回転力によって集塵口からの吸引と、吹出口への吹き付け用の空気流の両方を発生させるようにすると良い。集塵装置には、集塵口から集塵フィルタを介してファンに至る通路と、そのファンから吹出口に至る通路を有する伸縮ダクトを設ける。伸縮ダクト内に設けられる２つの通路は、同軸状に、あるいは、並べて配置される。ファンによって吸引される集塵口からの空気の一部は吹出口に還元され、残りの空気は穿孔工具の外部に排出される。伸縮ダクトは、固定部分と伸縮部分により形成され、前記ドリル刃の長手方向とほぼ平行に取り付けられ、長手方向に伸縮可能である。
【００１２】
吹出口から吹き付けられる空気流の方向は、集塵装置の貫通部の円周方向、中心部に向かう方向か、ドリル刃の軸方向にほぼ平行な方向か、あるいは両方を兼用しても良い。
【００１３】
伸縮ダクトにはハウジングが接続され、このハウジングに集塵ケースが着脱可能にセットされ、集塵ケース内にはフィルタが着脱可能に取り付けられる。尚、集塵装置全体を、穿孔工具から着脱自在としてもよい。
【００１４】
前記貫通部は円筒形であり、貫通部の開口の一端側に、ドリル刃と貫通部の間の空気の通過を制限するシャッター部材を設ける。また、貫通部付近の通路は、吹出口につながる通路と集塵口からつながる通路が、ドリル刃の長手軸から見て左右方向に並べて配置される。
【発明の効果】
【００１５】
本発明によれば、集塵装置において、粉塵と共に空気を吸引する吸引口に加え、空気を吹き付ける吹付手段を設けたので、少ない吸引力で効率よく集塵でき、さらに集塵装置の外部へ粉塵が漏れることを効果的に防止できる。
【発明を実施するための最良の形態】
【００１６】
以下、本発明の一実施形態による穿孔工具を図１〜図２を参照して説明する。図１はその穿孔工具の部分断面図であり、図２はその外観図である。
【００１７】
ハンマドリル本体１は、動作モードとして回転・打撃モード、回転モード、打撃モード及びニュートラルモードの４つのモードを備えるものであって、そのハウジング２には、図示しない打撃機構部と、回転伝達機構部及び切替機構部を有する。ハウジング２の後端部（図１の右端部）にはハンドル３が設けられ、このハンドル３にはスイッチ４が設けられるとともに、給電用の電気コード５が接続される。ハウジング２の側部には、動作モード切替用のダイヤル状の切替スイッチ６が設けられる。切替スイッチ６によって、上記４つの動作モードに切替可能である。ハウジングの前端部には工具保持部２ａが設けられ、工具保持部２ａにはドリル刃２６が装着され、このドリル刃２６が打撃力又は回転力或はその双方を受けて被削材８に対し所要の作業を行う。
【００１８】
被削材８への穿孔作業では、作業者はハンマドリル１のハンドル３を保持し、スイッチ４を操作することで、モータ１８を駆動し、モータ１８の回転力が伝達されることにより、ハンマドリル本体１の先端部に装着されたドリル刃２６が回転・打撃する。作業者はハンマドリル本体１のハンドル３を保持し、ハンマドリル１を被削材８の方向へ押し付けを行うことで、ドリル刃２６が被削材８を破砕し、被削材８に穿孔穴を生じさせる。
【００１９】
ドリル刃２６は、被削材８を破砕する先端部２６ａと、被削材８を破砕することで生じる粉塵を穿孔穴内で移動させる機能をもつ螺旋部２６ｂを有する。図に示すように、ドリル刃２６の先端部付近は、集塵アダプタ１０の貫通部を貫通して被削材８に達する。この貫通領域たる貫通部の長さは、ドリル刃２６の全長のうちの一部分に相当する。
【００２０】
回転・打撃モード作業時において、ドリル刃２６の先端部２６ａから生じた粉塵は、ドリル刃２６の回転と螺旋部２６ｂの形状とあいまって、集塵アダプタ１０の内部へ導かれ、モータ１８の回転軸１９に設けられた集塵ファン１４の吸引力によって、矢印に示すような空気流に乗って、集塵口１０ｂから集塵通路１１へ導かれ、集塵装置のハウジング２２に設けられた集塵ケース１２内のフィルタ１３にて空気と粉塵に分離され、粉塵は集塵ケース１２内へ貯蔵される。集塵ケース１２は、ハウジング２２において着脱可能であり、集塵ケース１２内部に貯蔵された粉塵は、集塵ケース１２を外した際に廃棄することができる。
【００２１】
一方、分離された空気は空気通路１５を通過し集塵ファン１４へ到達し、集塵ファン１４に流入した空気の一部は、第１の排出口６０（図２）よりハンマドリル本体１外部へと排出され、残りは集塵アダプタ１０へ再度流入する。この構成の詳細については後述する。再度流入される空気は、その風の流れを用いて、集塵アダプタの貫通部に風を吹き付ける際に利用される。
【００２２】
ハンマドリル本体１内部にはドリル刃２６を駆動する動力源として、モータ１８が設けられる。ドリル刃２６を駆動する際にはモータ１８は回転するとともに発熱する。モータ１８の発熱を抑えるためにモータ１８の回転軸１９には冷却ファン１７が設けられ、冷却ファン１７の吸引力により、テールカバー１６に設けられた図示せぬ冷却風取り入れ口から冷却風を吸引し、矢印に従って、冷却風はモータ１８を冷却する。冷却風はモータ冷却後、冷却ファン１７へ到達し、図示しない排出口よりハンマドリル本体１外部へと排出される。
【００２３】
集塵アダプタ１０は、ハンマドリル本体１に取り付けられたスライダー部３１により、ドリル刃２６付近において、被削材８に接触するように保持される。スライダー部３１は、固定パイプ３１ａとスライダーパイプ３１ｂと、スプリング３２を有し、これにより伸縮ダクトとして作用する集塵通路１１が形成される。スプリング３２は、固定パイプ３１ａとスライダーパイプ３１ｂとの間に設けられており、互いを離間する方向に付勢するので、スライダーパイプ３１ｂに接続される集塵アダプタ１０は被削材８の方向に付勢される。スライダー部３１は、ロック４１によりスライダーパイプ３１ｂの動きを制限し、任意の伸縮位置にて固定することもできる。
【００２４】
回転・打撃モードで作業している時は、穿孔穴を開ける際に、穿孔穴が深くなるに伴いハンマドリル本体１は被削材８の方向へと移動する。集塵アダプタ１０は、ハンマドリル本体１が被削材８の方向へと移動するのに伴い、スプリング３２が押し縮められ、スライダーパイプ３１ｂの一部が固定パイプ３１ａの内部に入ることによって、スライダー部３１が収縮し、集塵アダプタ１０は常に被削材８と接するように構成される。その際、スライダー部３１はドリル刃２６の長手方向と略平行になるように保持され、集塵アダプタ１０はハンマドリル本体１に対して、ドリル刃２６の軸方向に移動することになる。このように、スライダー部３１である伸縮ダクトは、伸縮可能に設けられる構成としたために、その穿孔穴の深さに応じた長手方向の長さのスライダー部３１とすることができ、穿孔穴の深さに対応した集塵を行なうことができる。
【００２５】
穿孔作業時に生じる粉塵はドリル刃２６の螺旋構造２６ｂにより、集塵アダプタ１０内部へ移動する。集塵ファン１４によって、粉塵及び空気は、集塵アダプタ１０から集塵通路１１へと移動する。その後に集塵ケース１２に設けられたフィルタ１３によって、粉塵は集塵ケース１２内部に貯蔵され、フィルタ１３により濾過された空気のみが空気通路１５へと移動する。尚、詳細を図示していないがフィルタ１３は集塵ケース１２から着脱可能である。そのため、集塵装置のハウジング２２の下部又は側部を開放状態で構成し、又は開閉可能に構成しても良い。このように、集塵ケース１２を集塵装置より着脱可能とする構成としたために、集塵ケース１２内部に貯蔵された粉塵を容易に廃棄することができる。また、集塵ケース１２よりフィルタ１３を着脱可能とする構成としたために、例えば、フィルタ１３が目詰まりなどした際に容易にフィルタ１３の交換をすることができる。
【００２６】
空気通路に移動した空気は、集塵ファン１４によって、排出口６０（図２）を介して本体外部へ一部が排出され、残りは集塵アダプタ１０に還流される。還流される空気は、案内通路２０へ移動する。案内通路２０は、スライダー部３１の内部で、集塵通路１１の上側に設けられる。
【００２７】
案内通路２０を通過した空気は、集塵アダプタの端（本体１側）を通り、集塵アダプタ１０の上部にある吹出口１０ａへと案内される。吹出口１０ａは、集塵アダプタ１０に形成される。この吹出口１０ａによって清浄な空気が、ドリル刃２６先端、及び／又は、被削材８の付近に吹き付けられる。このようにドリル刃２６先端付近に風を吹きつけることができるため、滞留している粉塵を効果的に巻き上げ、比較的少ない吸引力にて集塵することができ、さらに、集塵アダプタ１０の外部への粉塵が漏れることも抑制することができる。
【００２８】
また、吹出口１０ａは、集塵アダプタ１０に形成されるため、吹き付け手段として集塵アダプタと別の部材を追加する必要がない。また、吹き付けの際に用いる風は、集塵のために用いる集塵ファン１４により起こされるため、新たに送風用ファンなどの送風装置を追加する必要がない。さらに、スライダー部３１の内部に設けられた案内通路２０の内部を吹き付けに用いる空気が通過するために、吹き付けに用いる空気の風を移動させるために、スライダー部３１以外の新たな部材を設ける必要がない。
【００２９】
以上のように、本実施形態によれば、部品点数が多くなることを抑制することができ、経済的な集塵装置を有する穿孔工具を実現できる。
【００３０】
以上、本発明の第１の実施形態を説明したが、その実施形態は種々の応用や変形が可能である。図３にてその使用例の１つを示す。作業者は穿孔穴８ａ生成後に一旦穿孔穴８ａからドリル刃２６を抜く。次に、集塵アダプタ１０の吹出口１０ａを穿孔穴８ａへ近接させて、その中心軸が穿孔穴８ａ内に位置する様にし、スイッチ４を操作することによってモータ１８を駆動すると、吹出口１０ａから吹き付けられる空気は、ドリル刃２６の軸方向に開いた穿孔穴８ａ内部へ流入し、残留した粉塵を穿孔穴８ａ内部より吐き出し、集塵口１０ｂから集塵通路１１へ導かれる。これにより、穿孔穴内部に残留した粉塵を、良好に除去することが可能となる。
【００３１】
ここで、集塵ケース１２へ移動する空気の量と、吹出口１０ａから吹き付けられる空気の量では、後者の方を少なくすると良好な集塵効果が得られる。これにより、吹出口１０ａから吐き出される空気のほぼ全量が集塵口１０ｂから吸引可能であり、さらに周囲の空気まで吸引するため、残留した粉塵が外部へ吐き出されることを有効に防止できる。
【００３２】
図４はさらに別の変形例である。図４において、吹出口１０ａは、集塵アダプタ１０の貫通部１０ｄ付近に空気を吹き付ける構成となっている。このように集塵アダプタ１０の貫通部１０ｄ付近に空気を吹き付ける構成とすれば、貫通部１０ｄ付近より粉塵が漏れることを抑制することができる。
【００３３】
次に、本発明の第二の実施形態を示す穿孔工具を、図５から図１２を用いて説明する。図５は集塵装置を有する穿孔工具の全体図を示す。尚、図１と同じ部分には同じ参照符号を付してあり、同じ部分の重複説明は省略する。
【００３４】
ハウジング２は、モータ部と、シリンダ部分と、ハンドル部と、伝達駆動部を収容する。ハウジング２には駆動源としてのモータ１８が縦置き状態で収納される。そして、このモータ１８の上方へ延出する出力軸（モータ軸）１９の上端にはピニオン３８が一体に形成される。モータ１８の出力軸１９を挟んで両側には、クランク軸３９と中間軸４０がそれぞれ垂直且つ回転可能に支承されており、これらのクランク軸３９と中間軸４０の各中間高さ位置にはギヤがそれぞれ結着され、これらのギヤは、出力軸１９の端部に形成されたピニオン３８に噛合する。
【００３５】
ハウジング２の上部には、シリンダ３６がその軸方向両端部をボールベアリング４１とメタル軸受４２によって回転可能に支承されて水平に配されており、このシリンダ３６内にはピストン４３と打撃子４４が摺動可能に嵌装される。ピストン４３は、コンロッド４５を介してクランク軸３９のクランクピンに連結され、コンロッド４５の一端は、ピストンピンを介してピストン４３に連結される。
【００３６】
クランク軸３９の回転は、クランクピンとコンロッド４５によってピストン４３のシリンダ３６内における前後方向の往復直線運動に変換され、ピストン４３の往復運動によって空気室の内圧が変動するため、この内圧の変動によって打撃子４４がシリンダ３６内を前後方向に往復動して中間子４６に間欠的に衝突するため、中間子４６からドリル刃２６に打撃力が伝達される。
【００３７】
以上説明したギヤ、クランク軸３９、コンロッド４５、シリンダ３６、ピストン４３、打撃子４４、中間子４６等が打撃機構部を構成しており、この打撃機構部によってモータ１８の出力軸１９の回転がピストン４３の往復運動に変換されてドリル刃２６に打撃力が与えられる。ドリル刃２６の単純な回転は中間軸４０から伝達される回転力がシリンダ３６に伝わるもので、中間軸４０を含む回転部分が回転伝達機構部を構成する。打撃機構部と回転伝達機構部は同時に、あるいは選択的に駆動させることができ、これらのすべて又は一部がドリル刃を回転させるための伝達駆動部を構成する。
【００３８】
図５において、図１との大きな違いは、固定パイプ３１ａとスライダーパイプ３１ｂから構成されるスライダー部３１内の通路の配置である。図５においても、スライダー部３１の内部に集塵通路１１と案内通路２０が形成されることに相違はないが、その位置が異なる。図１においては、その図で示すように２つの通路は上下方向に配置されるが、図５においては同心円状（集塵通路１１が内周側で案内通路２０が外周側）に配置される。また、図５ではモータ１８の冷却用のファンが省略されており、集塵ファン１４だけがモータに接続される。また、空気流路１５から集塵ファン１４、案内通路２０に至る通路の配置が異なるが、実質的な効果は、図１も図５も変わりはないものである。
【００３９】
図６は、図５の穿孔工具の吹出口１０ａと集塵口１０ｂと、それらに流れる空気の方向を説明するための図である。吹出口１０ａから排出される空気は、吹出口１０ａの軸方向に覆われる被削材８により曲げられて、ドリル刃２６の方向（即ち、図６の下方向）に流れる。その下側には、大きな集塵口１０ｂがあるため、集塵アダプタ１０内で発生したり、巻き起こった粉塵は、集塵口１０ｂにより吸引される。双方の空気の流量は、例えば、吸込みが０．３ｍ３／分、吹出しが０．０４ｍ３／分であり、その割合が１５：２である。この割合は、穿孔される被削材８の材質、ドリル刃の直径、回転速度など、種々の要因により最適値が異なるものであるが、共通して言えることは、集塵口１０ｂから吸引される空気流量を、吹出口１０ａから吹出される空気流量よりも大きくすれば、粉塵の漏れを有効に防ぐことができることである。その割合は、例えば、吸込み量：吹出し量を３０：１〜１：１くらいの割合で設定することが可能である。
【００４０】
ドリル刃２６は、吹出口と集塵口との間にくるように配置される。これにより吹出口１０ａより吹き出た空気がドリル刃２６に当った後に集塵口１０ｂによって集塵され、吹出口１０ａから出た空気がドリル刃２６に付着した粉塵を吹き飛ばすことができ、効率良く集塵することができる。さらに、集塵アダプタ１０の先端側（ドリル刃軸方向で、被削材８側）の貫通部の周囲には、集塵アダプタ１０よりもわずかながら突出し、カップ状にやや開いたシール部２９が形成される。これにより、集塵アダプタ１０と被削材８の間の隙間から粉塵が漏れることを有効に防止できる。
【００４１】
図７、８は、集塵ファン１４付近の空気の流れを説明するための図であり、図７は縦断面図、図８は横断面図であり、両者は説明のために一部模式的に図示している。図７において、集塵ファン１４は遠心ファンであり、空気流路１５から導かれた清浄な空気を集塵ファン１４の上面から吸引し、外周方向に排出する。排出された空気の一部は案内通路２０に導かれる。図８は、その横断面図であり、集塵通路１１に流れる空気はフィルタ１３の方向（図８の紙面裏側方向）に流れる。またフィルタ１３を通過した空気は、空気流路１５を経由して集塵ファン１４の上部（図８の紙面表側）から流入し、一部は矢印８１の流れに沿って案内通路２０に導かれ、残りは矢印８２で示すように排出口６０からハウジング２の外部に放出される。このように、集塵ファン１４の排出先を振り分けることによって、集塵口１０ｂから吸引される空気の量と、吹出口１０ａから吹き付けられる空気の量の比率を決定することができる。尚、排出口６０の出口に図示しないシャッター部材を設けて、排出口６０の開口面積を可変にすれば、上述した空気量の比率を任意に変えることができる。
【００４２】
次に、図９〜１２を用いて、図５における集塵アダプタ１０の具体的構成を説明する。図９は、集塵アダプタ１０をドリル刃２６が挿入される側から見た斜視図である。集塵アダプタ１０の貫通部の一端側（ハンマドリル本体１側）には、前記ドリル刃と前記貫通部の間の空気の通過を制限するシャッター５１が設けられる。シャッター５１の材質は、例えばゴムである。しかし、それに限定されるものでなく、弾力性があり、高速で回転するドリル刃２６に接触してもその回転を妨害せず、接触によって摩耗しにくい材質であるならば、どのようなものでも良い。シャッター５１は、円周方向に伸びる１０枚の薄い片で構成された、絞り部材の様な形である。シャッター５１の中心部は、ドリル刃２６と同軸上に穴５０が形成される。穴５０の大きさは、ドリル刃２６よりも若干大きい程度が好ましい。このように、貫通部は円筒形であり、貫通部の一端側にドリル刃と貫通部の間の空気の通過を制限するシャッター部材を設ける構成としたために、粉塵が、貫通部の一端部より漏れることを抑制することができる。
【００４３】
図１０は、図９のＡ−Ａ’部の断面を示す図である。集塵アダプタ１０には、吹き付けられる空気を排出する円筒形の吹出口１０ａが形成され、図中の矢印５３に示すような方向に空気を導く。矢印５３のうち下方向（貫通部の円周方向中心に向かう方向）の空気流を形成するために、吹出口１０ａの先端部分下側（図１０の左端下側）に切り欠きが設けられる。貫通部５７の先端外周部には、シール部２９が設けられる。集塵アダプタ１０は複数のプラスチック部材から形成できるが、これに限定されるものではなく、ほとんどの部材を一体成形しても良いし、他の材料で製造しても良い。このように、吹出口１０ａを有し、その先端部分下側に切り欠きを形成する構成としたために、吹出口からでた空気がドリル刃２６の方向へと噴出し、ドリル刃２６付近に付着した粉塵を吹き飛ばすことができ、効率良く集塵を行うことができる。
【００４４】
図１１は、図９のＢ−Ｂ’部の断面を示す図である。ただし、図１１では、シャッター５１は、大きい絞りと小さい絞りを有する２重構成になっているが、このように構成するかは任意である。案内通路２０から導かれた清浄な空気は、矢印５５の向きに流れて吹出口１０ａに案内される。集塵口１０ｂより吸引された粉塵を含む空気は、矢印５４の方向に流れて、集塵通路１１へと案内される。このように集塵通路１１と案内通路２０をドリル刃２６の軸方向にみて前後（図１に示す配置）でなく、図１１のように左右に配置をするようにすれば、集塵アダプタ１０の厚さ（図５の３７ａで示す部分）を薄く構成することが可能である。図１のように前後に配置する方法だと吸い込みと吐出しの通路を十分広く配置することが困難な場合もあり得るが、図１１の配置だと、通路の容量を確保しやすい。
【００４５】
また、図５の３７ａで示す集塵アダプタ１０の厚さとして、ドリル刃で螺旋が切ってない部分の厚さ（図５の３７ｂで示す部分）よりも薄くすれば、集塵アダプタ１０が邪魔にならずより深い穴をあけることができるので、作業性が良くなる。
【００４６】
図１２は、図９のＣ−Ｃ’部の断面を示す図である。この図からわかるように、案内通路２０は円筒形の貫通部５７の外周側に形成される。
【００４７】
以上、第１及び第２の実施形態に基づいて本発明を説明したが、これに限定されるものではなく、その趣旨を逸脱しない範囲で種々の変形が可能である。例えば、スライダー部３１内の集塵通路１１と案内通路２０の配置や、その断面積の形状は任意に設定可能である。さらに、スライダー部３１の内部に案内通路２０を設けるのではなく、案内通路２０をスライダー部３１とは別に構成しても良い。
【００４８】
さらに、本実施形態では、ハンマドリルに電源コード５によって給電を行う構成としたが、充電可能な充電池や、太陽電池、燃料電池などによって給電を行う構成であっても良い。また、本実施形態では、ハンマドリルを例として穿孔工具を説明したが、他の穿孔工具であるハンマ、ドリル、振動ドリル、ドライバドリルなどの構成であっても、同様の効果が得られる。
【００４９】
さらに、本発明では、集塵用のファンの駆動に電気モータを用いる構成としたが、内燃機関を使う穿孔工具の場合は、その動力を利用してファンを回転させても良いし、内燃機関で発電される電力を用いて電動ファンを回転させるようにしても良い。
【図面の簡単な説明】
【００５０】
【図１】本発明の第１の実施形態にかかる穿孔工具の断面図。
【図２】図１の穿孔工具の全体図。
【図３】図１の穿孔工具による穿孔動作を説明するための図。
【図４】本発明の第１の実施形態の変形例を示す部分図。
【図５】本発明の第２の実施形態にかかる穿孔工具の断面図。
【図６】図５の穿孔工具の吹出口１０ａと集塵口１０ｂと、それらに流れる空気の方向を説明するための図。
【図７】図５の集塵ファン１４付近の空気流を説明するための模式図（縦断面図）。
【図８】図５の集塵ファン１４付近の空気流を説明するための模式図（横断面図）。
【図９】図５の集塵アダプタ１０の詳細を示す斜視図。
【図１０】図９のＡ−Ａ’部の断面図。
【図１１】図９のＢ−Ｂ’部の断面図。
【図１２】図９のＣ−Ｃ’部の断面図。
【符号の説明】
【００５１】
１    ハンマドリル本体    ３    ハンドル
４    電源スイッチ        ８    被削材
１０    集塵アダプタ      １０ａ  吹出口
１０ｂ  集塵口            １１    集塵通路
１２    集塵ケース        １３    フィルタ
１４    集塵ファン        １５    空気通路
１７    冷却ファン        １８    モータ
２０    案内通路          ２２    ハウジング
２６    ドリル刃          ２６ａ  （ドリル刃の）先端部
２６ｂ  （ドリル刃の）螺旋部
３１    スライダー部      ３１ａ  固定パイプ
３１ｂ  スライダーパイプ  ３２    スプリング
５０    穴                ５１    シャッター
５７    貫通部            ６０    排出口
【図１】
0005212778.tif 000002
【図２】
0005212778.tif 000003
【図３】
0005212778.tif 000004
【図４】
0005212778.tif 000005
【図５】
0005212778.tif 000006
【図６】
0005212778.tif 000007
【図７】
0005212778.tif 000008
【図８】
0005212778.tif 000009
【図９】
0005212778.tif 000010
【図１０】
0005212778.tif 000011
【図１１】
0005212778.tif 000012
【図１２】
0005212778.tif 000013